(57)【特許請求の範囲】
【請求項１】
甲側メンバー及び掌側メンバーを備えており、
上記甲側メンバーが、主部及び指部を有しており、
上記主部が、伸縮性のベース層と、このベース層の伸縮を拘束する拘束層とを有しており、
上記拘束層が上記ベース層の一部に積層されることにより、上記主部に、上記拘束層が存在しないゾーンである１又は２以上の非拘束ゾーンが形成されており、
上記非拘束ゾーンが、人差し指、中指、薬指及び小指のうち少なくとも１つのＭＰ関節に相当するポジションに存在しており、
上記拘束層がベース層と接合されているゴルフ用手袋。
【請求項２】
上記非拘束ゾーンが、人差し指、中指、薬指及び小指の全てのＭＰ関節に相当するポジションに存在する請求項１に記載の手袋。
【請求項３】
上記拘束層が、総指伸筋腱の一部とオーバーラップする部分であってかつこの総指伸筋腱の長手方向に延在する部分を有する請求項１又は２に記載の手袋。
【請求項４】
上記拘束層が、小指伸筋腱の一部とオーバーラップする部分であってかつこの小指伸筋腱の長手方向に延在する部分を有する請求項１から３のいずれかに記載の手袋。
【請求項５】
上記拘束層が、腱間結合の全部又は一部とオーバーラップする部分であってかつこの腱間結合の幅方向に延在する部分を有する請求項１から４のいずれかに記載の手袋。
【請求項６】
上記拘束層が、そのインサイド上端、インサイド下端、アウトサイド上端及びアウトサイド下端のうちの少なくとも１つにおいて、上記ベース層と隣接する層であってかつこのベース層よりも非伸縮性である層に接合されている請求項１から５のいずれかに記載の手袋。
【請求項７】
上記拘束層が、そのインサイド上端及びインサイド下端の両方において、上記ベース層と隣接する層であってかつこのベース層よりも非伸縮性である層に接合されている請求項６に記載の手袋。
【請求項８】
上記非拘束ゾーンが、手の表面であって人差し指のＭＰ関節のインサイドの部分に相当するポジションに存在し、かつ上記ベース層のインサイドのエッジを含む請求項７に記載の手袋。
【請求項９】
上記手の表面であって人差し指のＭＰ関節のインサイドの部分に相当するポジションに存在し、かつ上記ベース層のインサイドのエッジを含む非拘束ゾーンの最大幅が３ｍｍ以上１２ｍｍ以下である請求項８に記載の手袋。
【請求項１０】
上記拘束層が、そのアウトサイド上端及びアウトサイド下端の両方において、上記ベース層と隣接する層であってかつこのベース層よりも非伸縮性である層に接合されている請求項６から９のいずれかに記載の手袋。
【請求項１１】
上記非拘束ゾーンが、手の表面であって小指のＭＰ関節のアウトサイドの部分に相当するポジションに存在し、かつ上記ベース層のアウトサイドのエッジを含む請求項１０に記載の手袋。
【請求項１２】
上記手の表面であって小指のＭＰ関節のアウトサイドの部分に相当するポジションに存在し、かつ上記ベース層のアウトサイドのエッジを含む非拘束ゾーンの最大幅が３ｍｍ以上１２ｍｍ以下である請求項１１に記載の手袋。
【請求項１３】
上記ベース層の１０％伸張時の引張り荷重Ｆ１に対する、上記拘束層の１０％伸張時の引張り荷重Ｆ２の比（Ｆ２／Ｆ１）が、１．５以上２０以下である請求項１から１２のいずれかに記載の手袋。
【請求項１４】
上記拘束層の面積と上記非拘束ゾーンの合計面積との比が、４０／６０以上８０／２０以下である請求項１から１３のいずれかに記載の手袋。
【請求項１５】
上記ベース層の生地がニット又はメッシュである請求項１から１４のいずれかに記載の手袋。
【請求項１６】
上記人差し指のＭＰ関節に相当するポジションに存在する非拘束ゾーン、上記中指のＭＰ関節に相当するポジションに存在する非拘束ゾーン、上記薬指のＭＰ関節に相当するポジションに存在する非拘束ゾーン、及び上記小指のＭＰ関節に相当するポジションに存在する非拘束ゾーンが、拘束層を介して互いに離れている請求項２に記載の手袋。
【発明の詳細な説明】
【技術分野】
【０００１】
本発明は、ゴルフプレーヤーに着用される手袋に関する。
【背景技術】
【０００２】
ゴルフクラブのグリップは、一般的には、ゴム又はエラストマーから成形されている。ゴルフプレーヤーは、グリップを、手で把持する。スイング時の、このグリップとの摩擦により、手に肉刺ができることがある。肉刺の抑制の目的で、ゴルフプレーヤーは手袋を着用する。手袋は、手の日焼けを防止する。手袋はさらに、手とグリップとのスリップを抑制する。
【０００３】
ゴルフ手袋の主要素材は、皮革である。天然皮革、合成皮革及び人工皮革が、手袋に使用されうる。主として合成皮革が、手袋に用いられている。
【０００４】
皮革は、伸縮性に劣る。皮革からなる手袋は、フィット感に劣る。この手袋を着用したプレーヤーは、ゴルフクラブを握るときに圧迫感を感じる。この手袋を着用したプレーヤーは、疲労しやすい。この手袋を着用したプレーヤーは、ストレスを感じやすい。この手袋は、プレーヤーの好ましいスイングを阻害する。
【０００５】
さらに、皮革は通気性に劣る。皮革からなる手袋を着用したプレーヤーの手は、蒸れる。従ってプレーヤーは、不快感を感じる。
【０００６】
近年は、皮革とニットとが組み合わされた手袋が普及している。ニットは、伸縮性に富む。従ってニットは、プレーヤーに圧迫感を与えにくい。ニットは、多数の編み目を有する。従って、ニットは、手袋の通気性を改善する。
【０００７】
圧迫感の抑制及び通気性の確保からは、ニットの比率が高い手袋が好ましい。一方、ニットの比率が高い手袋は、プレーヤーがグリップを把持したときに伸びすぎる。伸びすぎは、グリップの安定感を損なう。ニットの比率が過大である手袋も、プレーヤーの好ましいスイングを阻害する。
【０００８】
特開２００３−５５８２０公報には、第一層と第二層とを有する手袋が開示されている。第一層は、メッシュからなる。第二層は、第一層の一部を覆っている。第一層及び第二層を有する手袋は、フィット感及び通気性に優れる。
【先行技術文献】
【特許文献】
【０００９】
【特許文献１】特開２００３−５５８２０公報
【発明の概要】
【発明が解決しようとする課題】
【００１０】
特開２００３−５５８２０公報に開示された手袋の着用感には、改善の余地がある。本発明の目的は、着用感に優れたゴルフ用手袋の提供にある。
【課題を解決するための手段】
【００１１】
本発明に係るゴルフ用手袋は、甲側メンバー及び掌側メンバーを備える。この甲側メンバーは、主部及び指部を有する。この主部は、伸縮性のベース層と、このベース層の伸縮を拘束する拘束層とを有する。この拘束層がベース層の一部に積層されることにより、主部に拘束層が存在しないゾーンである１又は２以上の非拘束ゾーンが形成される。この非拘束ゾーンは、人差し指、中指、薬指及び小指のうち少なくとも１つのＭＰ関節に相当するポジションに存在する。
【００１２】
好ましくは、非拘束ゾーンは、人差し指、中指、薬指及び小指の全てのＭＰ関節に相当するポジションに存在する。
【００１３】
好ましくは、拘束層は、総指伸筋腱の一部とオーバーラップする部分であってかつこの総指伸筋腱の長手方向に延在する部分を、有する。好ましくは、拘束層は、小指伸筋腱の一部とオーバーラップする部分であってかつこの小指伸筋腱の長手方向に延在する部分を、有する。
【００１４】
好ましくは、拘束層は、腱間結合の全部又は一部とオーバーラップする部分であって、かつこの腱間結合の幅方向に延在する部分を、有する。
【００１５】
好ましくは、拘束層は、そのインサイド上端、インサイド下端、アウトサイド上端及びアウトサイド下端のうちの少なくとも１つにおいて、ベース層と隣接する層であってかつこのベース層よりも非伸縮性である層に、接合される。
【００１６】
好ましくは、拘束層は、そのインサイド上端及びインサイド下端の両方において、ベース層と隣接する層であってかつこのベース層よりも非伸縮性である層に接合される。この場合において、手の表面であって人差し指のＭＰ関節のインサイドの部分に相当するポジションに、非拘束ゾーンが存在する。この非拘束ゾーンは、ベース層のインサイドのエッジを含む。好ましくは、この非拘束ゾーンの最大幅は、３ｍｍ以上１２ｍｍ以下である。
【００１７】
好ましくは、拘束層は、そのアウトサイド上端及びアウトサイド下端の両方において、ベース層と隣接する層であってかつこのベース層よりも非伸縮性である層に接合される。この場合において、手の表面であって小指のＭＰ関節のアウトサイドの部分に相当するポジションに、非拘束ゾーンが存在する。この非拘束ゾーンは、ベース層のアウトサイドのエッジを含む。好ましくは、この非拘束ゾーンの最大幅は、３ｍｍ以上１２ｍｍ以下である。
【００１８】
好ましくは、ベース層の１０％伸張時の引張り荷重Ｆ１に対する、拘束層の１０％伸張時の引張り荷重Ｆ２の比（Ｆ２／Ｆ１）は、１．５以上２０以下である。
【００１９】
好ましくは、拘束層の面積と非拘束ゾーンの合計面積との比は、４０／６０以上８０／２０以下である。
【００２０】
好ましくは、ベース層の生地は、ニット又はメッシュ（織物）である。
【発明の効果】
【００２１】
本発明に係る手袋は、非拘束ゾーンを有しているので、プレーヤーに圧迫感を与えない。この手袋は、拘束層を有するので、安定感にも優れる。この手袋は、好ましいスイングを阻害しない。
【図面の簡単な説明】
【００２２】
【図１】図１は、本発明の一実施形態に係る手袋が示された正面図である。
【図２】図２は、図１の手袋が示された背面図である。
【図３】図３は、図１の手袋が示された右側面図である。
【図４】図４は、図１の手袋の一部が示された拡大正面図である。
【図５】図５は、図４のＶ−Ｖ線に沿った断面図である。
【発明を実施するための形態】
【００２３】
以下、適宜図面が参照されつつ、好ましい実施形態に基づいて本発明が詳細に説明される。
【００２４】
図１には、甲側から見られた手袋２が示されている。図２には、掌側から見られた手袋２が示されている。図３には、親指側から見られた手袋２が示されている。この手袋２は、左手に着用される。右手に着用される手袋は、図１−３に示された手袋２の形状がミラー反転した形状を有する。図１において、左右方向は手袋の幅方向であり、上下方向は手袋の長さ方向である。図１において、右側は手袋のインサイドであり、左側は手袋のアウトサイドである。
【００２５】
この手袋２は、甲側メンバー４及び掌側メンバー６からなる。甲側メンバー４と掌側メンバー６とは、接合されている。接合は、甲側メンバー４と掌側メンバー６とが縫合されることで達成されている。手袋２が、甲側メンバー４と掌側メンバー６との間に、マチを有してもよい。
【００２６】
掌側メンバー６の材質は、合成皮革である。織物に合成樹脂が塗布されることにより、合成皮革が得られる。掌側メンバー６は、ゴルフクラブと直接に接触する部分である。手袋２とゴルフクラブとのスリップを抑制する目的で、掌側メンバー６に摩擦係数の大きい合成皮革が用いられている。しっとり感のある合成樹脂が織物に塗布されることにより、摩擦係数の大きい合成皮革が得られうる。表面に多数の微小凹凸模様を備えた合成皮革が、掌側メンバー６に用いられてもよい。この凹凸模様によって、手袋２とグリップとのスリップが抑制されうる。掌側メンバー６が、天然皮革、人工皮革又は合成繊維から得られてもよい。
【００２７】
図１に示されるように、甲側メンバー４は、指部８、主部１０及びリスト部１２を有している。指部８は、親指部１４、人差し指部１６、中指部１８、薬指部２０及び小指部２２からなる。親指部１４及び人差し指部１６の材質は、合成皮革である。中指部１８、薬指部２０及び小指部２２の材質は、主として合成皮革である。但し、中指部１８、薬指部２０及び小指部２２のそれぞれは、ニット部２４を有している。ニット部２４の典型的な材質はトリコットである。ニット部２４は、伸縮性に富む。プレーヤーがクラブを握っているとき、中指、薬指及び小指の関節は曲がっている。プレーヤーがクラブを握っているとき、ニット部２４は、指を圧迫しない。ニット部２４はさらに、手袋２の通気性を高める。
【００２８】
リスト部１２は、スリット２６によってインサイド部２８とアウトサイド部３０とに区分されている。インサイド部２８及びアウトサイド部３０の材質は、合成皮革である。アウトサイド部３０には、フラップ３２が取り付けられている。フラップ３２は、正面視においてインサイド部２８とオーバーラップしている。インサイド部２８とフラップ３２との間には、面ファスナー（図示されず）が存在する。この面ファスナーにより、フラップ３２がインサイド部２８に固定される。この面ファスナーにより、インサイド部２８とアウトサイド部３０との位置が固定される。
【００２９】
甲側メンバー４は、ゴルフクラブと直接には接触しない。従って、甲側メンバー４の合成皮革には、高い摩擦係数は必要ない。さらっと感のある合成樹脂が織物に塗布されることにより、甲側メンバー４の合成皮革が得られうる。甲側メンバー４に、天然皮革、人工皮革又は合成繊維が用いられてもよい。
【００３０】
図４には、図１の手袋２の甲側メンバー４の主部１０が示されている。図５は、図４のＶ−Ｖ線に沿った断面図である。図４及び５に示されるように、主部１０は、ベース層３４及び拘束層３６を有している。図４では、説明の便宜上、拘束層３６にハッチングが施されている。
【００３１】
ベース層３４は、主部１０の全体に渡って延在している。ベース層３４は、ニットの生地が裁断されることで得られる。ベース層３４は、多数の編み目を有する。ベース層３４は、多数の孔を有する。このベース層３４は、伸縮性及び通気性に優れる。ベース層３４の典型的な生地は、トリコットである。このベース層３４の材質は、ニット部２４の材質と同等である。ベース層３４の材質が、ニット部２４の材質と異なってもよい。ベース層３４の材質が、緯編のニットであってもよい。ベース層３４が、伸縮性に優れたメッシュ（織物）から得られてもよい。ベース層３４が、伸縮性に優れた不織布から得られてもよい。
【００３２】
好ましくは、ベース層３４に伸長回復率の高い生地が用いられる。このベース層３４では、永久歪みが生じにくい。
【００３３】
拘束層３６は、ベース層３４に積層されている。拘束層３６は、樹脂フィルムからなる。拘束層３６の典型的な基材樹脂は、熱可塑性ポリウレタンである。拘束層３６は、部分的にベース層３４を覆っている。主部１０には、ベース層３４が拘束層３６で覆われた部分と、ベース層３４が拘束層３６で覆われていない部分とが混在している。この混在により、図４に示されるように、主部１０にまだら模様が形成されている。拘束層３６が、織物、編み物、人工皮革、合成繊維等から得られてもよい。
【００３４】
拘束層３６は、ベース層３４と接合されている。接合は、接着剤により達成されている。接合が、熱溶着によって達成されてもよい。拘束層３６は、伸縮性である。但し、拘束層３６は、ベース層３４よりは伸縮性に劣る。従って拘束層３６は、ベース層３４の伸長を拘束しうる。
【００３５】
好ましくは、拘束層３６に伸長回復率の高い生地が用いられる。この拘束層３６では、永久歪みが生じにくい。
【００３６】
ベース層３４が拘束層３６に覆われておらず露出しているゾーンでは、このベース層３４が充分に伸長する。このゾーンは、非拘束ゾーンと称される。主部１０には、多数の非拘束ゾーン３８が存在している。
【００３７】
図４において符号３８ａで示されているのは、人差し指のＭＰ関節に相当するポジションに存在する非拘束ゾーンである。ＭＰ関節は、基節骨と中手骨との間に位置する。プレーヤーが人差し指を曲げているとき、この人差し指のＭＰ関節は突出している。この突出により、非拘束ゾーン３８ａは伸長する。この伸長を、拘束層３６は阻害しない。伸長した非拘束ゾーン３８ａは、ＭＰ関節を圧迫しない。この手袋２は、着用感に優れる。図４に示された状態において、非拘束ゾーン３８ａの面積は、３０ｍｍ２以上１５０ｍｍ２以下が好ましい。手袋２が、非拘束ゾーン３８ａを有さない主部１０を備えてもよい。
【００３８】
図４において符号３８ｂで示されているのは、中指のＭＰ関節に相当するポジションに存在する非拘束ゾーンである。プレーヤーがゴルフクラブを握るとき、中指は曲がっており、この中指のＭＰ関節は突出している。この突出により、非拘束ゾーン３８ｂは伸長する。この伸長を、拘束層３６は阻害しない。伸長した非拘束ゾーン３８ｂは、ＭＰ関節を圧迫しない。この手袋２は、着用感に優れる。図４に示された状態において、非拘束ゾーン３８ｂの面積は、３０ｍｍ２以上１８０ｍｍ２以下が好ましい。手袋２が、非拘束ゾーン３８ｂを有さない主部１０を備えてもよい。
【００３９】
図４において符号３８ｃで示されているのは、薬指のＭＰ関節に相当するポジションに存在する非拘束ゾーンである。プレーヤーがゴルフクラブを握るとき、薬指は曲がっており、この薬指のＭＰ関節は突出している。この突出により、非拘束ゾーン３８ｃは伸長する。この伸長を、拘束層３６は阻害しない。伸長した非拘束ゾーン３８ｃは、ＭＰ関節を圧迫しない。この手袋２は、着用感に優れる。図４に示された状態において、非拘束ゾーン３８ｃの面積は、３０ｍｍ２以上１８０ｍｍ２以下が好ましい。手袋２が、非拘束ゾーン３８ｃを有さない主部１０を備えてもよい。
【００４０】
図４において符号３８ｄで示されているのは、小指のＭＰ関節に相当するポジションに存在する非拘束ゾーンである。プレーヤーがゴルフクラブを握るとき、小指は曲がっており、この小指のＭＰ関節は突出している。この突出により、非拘束ゾーン３８ｄは伸長する。この伸長を、拘束層３６は阻害しない。伸長した非拘束ゾーン３８ｄは、ＭＰ関節を圧迫しない。この手袋２は、着用感に優れる。図４に示された状態において、非拘束ゾーン３８ｄの面積は、３０ｍｍ２以上１５０ｍｍ２以下が好ましい。手袋２が、非拘束ゾーン３８ｄを有さない主部１０を備えてもよい。
【００４１】
図４において符号４０ａで示されているのは、総指伸筋腱である。正面視において、拘束層３６は、総指伸筋腱４０ａの一部とオーバーラップしている。拘束層３６は、総指伸筋腱４０ａの長手方向に延在している。従って、主部１０の、総指伸筋腱４０ａに相当するポジションは、伸長しにくい。伸長の抑制は、プレーヤーがゴルフクラブを握ったときの安定感を高める。手袋２が、拘束層３６が総指伸筋腱４０ａとオーバーラップしない主部１０を備えてもよい。
【００４２】
図４において符号４０ｂで示されているのは、他の総指伸筋腱である。正面視において、拘束層３６は、総指伸筋腱４０ｂの一部とオーバーラップしている。拘束層３６は、総指伸筋腱４０ｂの長手方向に延在している。従って、主部１０の、総指伸筋腱４０ｂに相当するポジションは、伸長しにくい。伸長の抑制は、プレーヤーがゴルフクラブを握ったときの安定感を高める。手袋２が、拘束層３６が総指伸筋腱４０ｂとオーバーラップしない主部１０を備えてもよい。
【００４３】
図４において符号４０ｃで示されているのは、さらに他の総指伸筋腱である。正面視において、拘束層３６は、総指伸筋腱４０ｃの一部とオーバーラップしている。拘束層３６は、総指伸筋腱４０ｃの長手方向に延在している。従って、主部１０の、総指伸筋腱４０ｃに相当するポジションは、伸長しにくい。伸長の抑制は、プレーヤーがゴルフクラブを握ったときの安定感を高める。手袋２が、拘束層３６が総指伸筋腱４０ｃとオーバーラップしない主部１０を備えてもよい。
【００４４】
図４において符号４２で示されているのは、小指伸筋腱である。正面視において、拘束層３６は、小指伸筋腱４２の一部とオーバーラップしている。拘束層３６は、小指伸筋腱４２の長手方向に延在している。従って、主部１０の、小指伸筋腱４２に相当するポジションは、伸長しにくい。伸長の抑制は、プレーヤーがゴルフクラブを握ったときの安定感を高める。手袋２が、拘束層３６が小指伸筋腱４２とオーバーラップしない主部１０を備えてもよい。
【００４５】
図４において符号４４ａで示されているのは、腱間結合である。正面視において、拘束層３６は、腱間結合４４ａの一部とオーバーラップしている。拘束層３６は、概ね腱間結合４４ａの幅方向に延在している。従って、主部１０の、腱間結合４４ａに相当するポジションは、伸長しにくい。伸長の抑制は、プレーヤーがゴルフクラブを握ったときの安定感を高める。手袋２が、拘束層３６が腱間結合４４ａとオーバーラップしない主部１０を備えてもよい。
【００４６】
図４において符号４４ｂで示されているのは、他の腱間結合である。正面視において、拘束層３６は、腱間結合４４ｂの一部とオーバーラップしている。拘束層３６は、概ね腱間結合４４ｂの幅方向に延在している。従って、主部１０の、腱間結合４４ｂに相当するポジションは、伸長しにくい。伸長の抑制は、プレーヤーがゴルフクラブを握ったときの安定感を高める。手袋２が、拘束層３６が腱間結合４４ｂとオーバーラップしない主部１０を備えてもよい。
【００４７】
図４において符号４４ｃで示されているのは、さらに他の腱間結合である。正面視において、拘束層３６は、腱間結合４４ｃの一部とオーバーラップしている。拘束層３６は、概ね腱間結合４４ｃの幅方向に延在している。従って、主部１０の、腱間結合４４ｃに相当するポジションは、伸長しにくい。伸長の抑制は、プレーヤーがゴルフクラブを握ったときの安定感を高める。手袋２が、拘束層３６が腱間結合４４ｃとオーバーラップしない主部１０を備えてもよい。
【００４８】
図４において、符号Ｅ１で示されているのは拘束層３６のインサイド上端であり、符号Ｅ２で示されているのは拘束層３６のインサイド下端であり、符号Ｅ３で示されているのは拘束層３６のアウトサイド上端であり、符号Ｅ４で示されているのは拘束層３６のアウトサイド下端である。これらの端Ｅ１−Ｅ４のうちの少なくとも１つにおいて、拘束層３６は、ベース層３４と隣接する層であってかつこのベース層３４よりも非伸縮性である層に、接合される。この接合を有する手袋２は、プレーヤーがゴルフクラブを握ったときに手の肉が幅方向に過大に広がることを抑制する。図１及び４で例示されるように、本実施形態では、端Ｅ１は指部８に接合されており、端Ｅ２はリスト部１２に接合されており、端Ｅ３は掌側メンバー６に接合されており、端Ｅ４は掌側メンバー６及びリスト部１２に接合されている。
【００４９】
図４に示される通り、主部１０は非拘束ゾーン３８ｅを備えている。この非拘束ゾーン３８ｅは、手の表面であって人差し指のＭＰ関節のインサイドの部分に相当するポジションに存在する。この非拘束ゾーン３８ｅは、ベース層３４のインサイドのエッジＥｄｉを含む。この非拘束ゾーン３８ｅは、概して手袋２の長さ方向に延在している。この非拘束ゾーン３８ｅを有する手袋２は、プレーヤーがゴルフクラブを握ったときの筋肉の膨出を阻害しない。この手袋２は、プレーヤーに圧迫感を与えない。
【００５０】
前述の通り、拘束層３６の端Ｅ１は指部８に接合されており、端Ｅ２はリスト部１２に接合されている。この拘束層３６と非拘束ゾーン３８ｅとが隣接しているので、この手袋２では、圧迫感を与えないことと、安定感とが、両立される。両立の観点から、非拘束ゾーン３８ｅの最大幅Ｗｉは３ｍｍ以上１２ｍｍ以下が好ましい。
【００５１】
図４に示される通り、主部１０は非拘束ゾーン３８ｆを備えている。この非拘束ゾーン３８ｆは、手の表面であって小指のＭＰ関節のアウトサイドの部分に相当するポジションに存在する。この非拘束ゾーン３８ｆは、ベース層３４のアウトサイドのエッジＥｄｏを含む。この非拘束ゾーン３８ｆは、概して手袋２の長さ方向に延在している。この非拘束ゾーン３８ｆを有する手袋２は、プレーヤーがゴルフクラブを握ったときの筋肉の膨出を阻害しない。この手袋２は、プレーヤーに圧迫感を与えない。
【００５２】
前述の通り、拘束層３６の端Ｅ３は掌側メンバー６に接合されており、端Ｅ４は掌側メンバー６及びリスト部１２に接合されている。この拘束層３６と非拘束ゾーン３８ｆとが隣接しているので、この手袋２では、圧迫感を与えないことと、安定感とが、両立される。両立の観点から、非拘束ゾーン３８ｆの最大幅Ｗｏは３ｍｍ以上１２ｍｍ以下が好ましい。
【００５３】
ベース層３４の引張り荷重Ｆ１に対する、拘束層３６の引張り荷重Ｆ２の比（Ｆ２／Ｆ１）は、１．５以上が好ましい。この比（Ｆ２／Ｆ１）が１．５以上である手袋２は、伸縮性に富むベース層３４と、このベース層３４を充分に拘束する拘束層３６とを有する。この手袋２は、プレーヤーに圧迫感を与えない。しかもこの手袋２により、プレーヤーはグリップの安定感を得られる。この観点から、この比（Ｆ２／Ｆ１）は２．０以上がより好ましく、３．０以上が特に好ましい。この比（Ｆ２／Ｆ１）は、２０以下が好ましく、１５以下がより好ましく、１０以下が特に好ましい。
【００５４】
引張り荷重Ｆ１及びＦ２は、引張り試験機によって測定されうる。試験片は、短冊状である。この試験片の幅は１０ｍｍであり、長さは１００ｍｍである。標線間距離は５０ｍｍであり、引張り速度は３００ｍｍ／ｍｉｎである。伸長率は、１０％である。試験片は、ベース層３４及び拘束層３６の原反から切り出される。試験は、２３℃の環境下で行われる。
【００５５】
原反の伸縮性に方向性がある場合、最も引張り荷重が小さい方向と、これに直交する方向とにおいて、測定がなされる。両者が平均されて、引張り荷重Ｆ１又はＦ２が算出される。
【００５６】
拘束層３６の引張り荷重Ｆ２は１Ｎ以上が好ましく、２Ｎ以上が特に好ましい。引張り荷重Ｆ２は２０Ｎ以下が好ましく、１５Ｎ以下が特に好ましい。
【００５７】
拘束層３６の面積と非拘束ゾーン３８の合計面積との比は、４０／６０以上８０／２０以下が好ましい。この比が４０／６０以上である手袋２を着用したプレーヤーは、グリップの安定感を得ることができる。この観点から、この比は５０／５０以上が特に好ましい。この比が８０／２０以下である手袋２は、プレーヤーに圧迫感を与えない。さらに、この比が８０／２０以下である手袋２は、通気性に優れる。これらの観点から、この比は７５／２５以下が特に好ましい。面積は、正面視において測定される。面積は、例えば画像処理によって測定されうる。
【００５８】
拘束層３６の面積は３０ｃｍ２以上が好ましく、４０ｃｍ２以上が特に好ましい。この面積は７０ｃｍ２以下が好ましく、６０ｃｍ２以下が特に好ましい。
【００５９】
この主部１０では、ベース層３４に拘束層３６が積層されている。従って、ベース層３４と拘束層３６とのつなぎ目は存在しない。この主部１０では、つなぎ目による圧迫が生じない。
【産業上の利用可能性】
【００６０】
本発明に係る手袋は、ゴルフコースでのプレーに適している。この手袋はさらに、ドライビングレンジでのプラクティスにも適している。
【符号の説明】
【００６１】
２・・・手袋
４・・・甲側メンバー
６・・・掌側メンバー
８・・・指部
１０・・・主部
１２・・・リスト部
３４・・・ベース層
３６・・・拘束層
３８、３８ａ−３８ｄ・・・非拘束ゾーン
４０ａ−４０ｃ・・・総指伸筋腱
４２・・・小指伸筋腱
４４ａ−４４ｃ・・・腱間結合
【図１】
0006389396.tif 000002
【図２】
0006389396.tif 000003
【図３】
0006389396.tif 000004
【図４】
0006389396.tif 000005
【図５】
0006389396.tif 000006